(57)【要約】【課題】食器かごに食器以外の鍋やボールといった大形の被洗浄物をセットして洗浄できるようにする。【解決手段】食器かご１４の皿１５を配列する部分を、複数のワイヤ３５で構成し、このワイヤ３５を連結ワイヤ３６で連結すると共に、底部構成ワイヤ３７を軸として起伏可能に設けた。これにより、連結した複数のワイヤ３５を伏臥させることにより、その上に鍋やボールといった大形の被洗浄物をセットして洗浄することができる。又、連結ワイヤ３６で連結したワイヤ３５は、その列のワイヤ３５の全部を同時に起伏させることができ、１本１本を起伏させる手間を要しないので、取扱い性を良くすることができる。【選択図】　図１
2004041686.tif 000002
【特許請求の範囲】
【請求項１】
洗浄槽と、この洗浄槽の内部に皿を初めとする食器を配列する食器かごと、洗浄槽の内部に配列された食器を洗浄する洗浄機構とを具備し、前記食器かごの皿を配列する部分を、複数のワイヤで構成し、このワイヤを連結すると共に、起伏可能に設けたことを特徴とする食器洗浄機。
【請求項２】
連結したワイヤを他のワイヤと向かい合わせに設け、この向かい合わせの両ワイヤが、連結した少なくとも一方のワイヤの伏臥時に、入り混じる状態となることを特徴とする請求項１記載の食器洗浄機。
【請求項３】
洗浄槽と、この洗浄槽の内部に皿を初めとする食器を配列する食器かごと、洗浄槽の内部に配列された食器を洗浄する洗浄機構とを具備し、前記食器かごの皿を配列する部分を、複数のワイヤで構成し、このワイヤを起伏可能に連結すると共に、これらのワイヤを起立と伏臥との各別の状態に選択可能に設けたことを特徴とする食器洗浄機。
【請求項４】
起伏可能なワイヤを起立状態に保持するばね部材を設けたことを特徴とする請求項１ないし３のいずれかに記載の食器洗浄機。
【発明の詳細な説明】
【０００１】
【発明の属する技術分野】
本発明は、食器かごを改良した食器洗浄機に関する。
【０００２】
【従来の技術】
従来より、食器洗浄機においては、皿を初めとする食器が食器かごによって洗浄槽の内部に配列され、この配列された食器を、ポンプや噴水アーム等から成る洗浄機構により洗浄するようになっている。
又、食器かごにおいては、皿を配列する部分が、かごの底部から立設された複数のワイヤで構成されており、このワイヤの各間に皿を差し込んで、立てた状態に保持するようになっている。皿を配列する部分の各ワイヤは、基端部がかごの底部ワイヤに溶接により固着されている。（例えば、特許文献１参照）。
【０００３】
【特許文献１】
特開２００１−２３１７３７号公報（段落番号［００２５］〜［００２８］、図１、図６、図７）
【０００４】
【発明が解決しようとする課題】
上記従来のものの場合、食器かごに食器以外の鍋やボールといった大形の被洗浄物をセットすることができず、従って、その大形の被洗浄物を食器洗浄機で洗浄することができなかった。
本発明は上述の事情に鑑みてなされたものであり、従ってその目的は、主として、食器かごに食器以外の鍋やボールといった大形の被洗浄物をセットして洗浄することのできる食器洗浄機を提供するにある。
【０００５】
【課題を解決するための手段】
上記目的を達成するために、本発明の食器洗浄機は、洗浄槽と、この洗浄槽の内部に皿を初めとする食器を配列する食器かごと、洗浄槽の内部に配列された食器を洗浄する洗浄機構とを具備し、前記食器かごの皿を配列する部分を、複数のワイヤで構成し、このワイヤを連結すると共に、起伏可能に設けたことを特徴とする（請求項１の発明）。
このものによれば、連結した複数のワイヤを伏臥させることにより、その上に鍋やボールといった大形の被洗浄物をセットして洗浄することができる。
【０００６】
この場合、連結したワイヤを他のワイヤと向かい合わせに設け、この向かい合わせの両ワイヤが、連結した少なくとも一方のワイヤの伏臥時に、入り混じる状態となるようにすると良い（請求項２の発明）。
このものでは、連結したワイヤを伏臥させるとき、それを他のワイヤと衝突することなくスムーズに、且つ、よりコンパクトに伏臥させることができる。
【０００７】
また、上記目的を達成するために、本発明の他の食器洗浄機は、洗浄槽と、この洗浄槽の内部に皿を初めとする食器を配列する食器かごと、洗浄槽の内部に配列された食器を洗浄する洗浄機構とを具備し、前記食器かごの皿を配列する部分を、複数のワイヤで構成し、このワイヤを起伏可能に連結すると共に、これらのワイヤを起立と伏臥との各別の状態に選択可能に設けたことを特徴とする（請求項３の発明）。
【０００８】
このものにおいては、例えばワイヤをすべて伏臥させることにより、その上に鍋やボールといった大形の被洗浄物をセットして洗浄することができる。また、一部のワイヤを起立させると共に、残りのワイヤを伏臥させることにより、起立したワイヤ間の幅を変えることが可能となり、これにより例えば深い皿をセットして洗浄することが可能となる。
【０００９】
そして、起伏可能なワイヤを起立状態に保持するばね部材を設けることが好ましい（請求項４の発明）。
このものによれば、起立させたワイヤをばね部材により起立状態に保持することができるので、皿をセットする際に、その起立したワイヤが簡単に倒れてしまうことを防止でき、ワイヤを起伏可能な構成としながらも、皿のセットがしやすい。
【００１０】
【発明の実施の形態】
以下、本発明の第１実施例につき、図１ないし図４を参照して説明する。
まず、図３には、食器洗浄機の全体構成を示しており、本体１の前面部に扉２を設けている。扉２は、この場合、下扉２ａと、上扉２ｂとから成っており、そのうちの下扉２ａに、取手３と、ロック解除ボタン４とを設けていて、使用者が取手３を持ち、ロック解除ボタン４を押して、取手３を手前に引けば、下扉２ａが下端部の軸５を中心に下方へ回動して開き、それに連動して上扉２ｂが上端部の軸６を中心に上方へ回動して開くようになっている。
【００１１】
扉２の下方には制御装置７を配設しており、この制御装置７は例えばマイクロコンピュータから成り、食器洗浄機の運転全般を制御するようになっている。　　本体１は、外箱８を外殻とし、これの内部に洗浄槽９を配設している。洗浄槽９は前面が食器出入口１０として開口しており、その食器出入口１０を前記扉２（下扉２ａ、上扉２ｂ）で開閉するようにしている。
【００１２】
洗浄槽９内には、底部に例えばシーズ線から成るヒータ１１を配設しており、これの上方に噴射体としての噴水アーム１２を、パイプ状のアーム支え１３により回転可能に接続支持して配設している。更に、洗浄槽９内の噴水アーム１２より上方の部分には、食器かご１４を配設しており、この食器かご１４は洗浄槽９内に皿１５や茶碗１６を初めとする食器を配列するためのもので、その詳細については、後に詳述する。
【００１３】
洗浄槽９の背部には給水弁１７を取付けており、この給水弁１７には図示しない水道に通じる給水管１８を接続している。洗浄槽９の外下方部には、洗浄ポンプ１９と、排水ポンプ２０、及びこれらを駆動する共通のポンプモータ２１を配設している。ポンプモータ２１は、例えば時計回りの正転及び反時計回りの逆転の両方向に回転可能で、その正転により洗浄ポンプ１９を駆動し（このとき、排水ポンプ２０は機能しない）、逆転によって排水ポンプ２０を駆動する（このとき、洗浄ポンプ１９は機能しない）ようになっている。
【００１４】
このほか、洗浄槽９の外下方部には、洗浄槽９内と連通する貯水タンク２２を設けると共に、この貯水タンク２２と洗浄ポンプ１９の吸込口とを接続する接続管２３、及び貯水タンク２２と排水ポンプ２０の吸込口とを接続する接続管２４を設けている。又、洗浄ポンプ１９の吐出口は前記アーム支え１３に接続し、ひいては前記噴水アーム１２に接続しており、排水ポンプ２０の吐出口には排水ホース２５を接続している。
【００１５】
この構成により、前記水道から給水管１８及び給水弁１７を通じ供給されて貯水タンク２２内から洗浄槽９内の下部に貯留された洗浄水が、洗浄ポンプ１９により、貯水タンク２２内から接続管２３を通じて吸入され、アーム支え１３を通じて噴水アーム１２に圧送される。この圧送された洗浄水は、噴水アーム１２が上部に有する複数の噴水口１２ａからそれぞれ噴出されるものであり、その噴水の反動によって噴水アーム１２は回転もする。
【００１６】
かくして、洗浄水が洗浄槽１９内に満遍なく噴射され、前記食器かご１４によって洗浄槽９内に配列された食器の洗浄、すすぎが行われる。従って、洗浄ポンプ１９と噴水アーム１２は、洗浄槽９内に配列された食器を洗浄する洗浄機構２６を構成するものである。
一方、排水ポンプ２０は、洗浄槽９内の洗浄水を、排水時に貯水タンク２２内から接続管２４を通じて吸入し、そして、排水ホース２５を通じて機外に排出するようになっている。
【００１７】
なお、洗浄槽９の背部には送風装置２７をも設けており、この送風装置２７は、前記食器の洗浄、すすぎを行った後の乾燥時に、外気を吸入し、それをダクト２８を通じて洗浄槽９の下部から内部に送り込むようになっている。又、その乾燥時には洗浄槽９内の空気が前記ヒータ１１により加熱されて温風化されるようになっており、前記洗浄、すすぎ時には洗浄槽９内の洗浄水が同じくヒータ１１により加熱されて温水化されるようになっている。
【００１８】
更に、洗浄槽９の背部の下部には水位検知装置２９を設けており、この水位検知装置２９は、図示しない接続管により貯水タンク２２内と連通し、ひいては洗浄槽９内と連通していて、洗浄槽９内の前記洗浄水の水位を検知するようになっている。
加えて、前記本体１の前面の下部には、図４に示す操作パネル３０を設けており、この操作パネル３０は、上述の洗浄、すすぎ、及び乾燥など、食器洗浄機の運転に係る操作を使用者がするためのもので、各種操作キー３１を有すると共に、各種表示部３２を有している。
【００１９】
ここで、前記食器かご１４について詳述する。
この食器かご１４は、ワイヤを組んで構成したもので、図３に示すように、ベース部３３が浅底の直方体容器状を成し、このベース部３３の底部から上方へ、この場合、２種の食器支えとしてのワイヤ３４，３５を複数（多数）ずつ設けて成る。
【００２０】
このうち、ワイヤ３４は前記茶碗１６を配列するに適したものであり、ベース部３３の左側（図４参照）でワイヤ３４より短いワイヤ３４´と交互に左右方向に並べ、前後４列（図３参照）に固定して設けている。この４列のワイヤ３４（３４´）は、２列ずつで対を成し、その各対においてそれぞれ逆ハ字状に向かい合い、茶碗１６を安定性良く支えるようになっている。
【００２１】
これに対して、ワイヤ３５は前記皿１５を配列するに適したものであり、すなわち、皿１５を配列する部分を構成するものであって、上述のワイヤ３４より長く、ベース部３３の右側（図４参照）の前後中間部で同じく左右方向に並べ、前後２列（図３参照）に設けている。この２列のワイヤ３５はワイヤ３４の各対同様に、対を成しており、逆ハ字状に向かい合って、皿１５を安定性良く支えるようになっている。
【００２２】
図１は、上記ワイヤ３５の構成を更に詳細に示している。特にこの図１の（ｂ）で明らかなように、ワイヤ３５は、それぞれ、左右の両端のものが長く、その間のものはそれよりも短いもので、それらを連結ワイヤ３６で一つに連結している。そして、この図１の（ａ）で明らかなように、長い両端のものの各下端部にはカール部３５ａを形成し、このカール部３５ａをベース部３３の底部構成ワイヤ３７に回動可能に取付けることにより、ワイヤ３５をそれぞれその回動にて起伏可能に設けている。
【００２３】
なお、ワイヤ３５の伏臥方向は、図２に示すように、ワイヤ３５が互いに近接する方向であり、起立方向は、図１に示すように、離反する方向としている。又、ワイヤ３５は、その伏臥時にベース部３３の底面上に横たわり、起立時にベース部３３に設けたストッパ３８により前述の逆ハ字状に支持されるようにしている。更に、ワイヤ３５には、上端部にもカール部３５ｂを形成している。
【００２４】
そして又、ワイヤ３５の回動中心軸である前記ベース部３３の底部構成ワイヤ３７は、図１の（ｂ）に示すように、ベース部３３の前縁ワイヤ３９や後縁ワイヤ４０とは非並行の傾斜状（図中、右上がりの傾斜状）としており、それでいて、ワイヤ３５の前記カール部３５ａはベース部３３の側縁ワイヤ４１とほぼ平行な線（仮想）上の位置に取付けている。この結果、図２の（ｂ）に示すように、向かい合わせの両ワイヤ３５が、両方の伏臥時に、それぞれ相手側のワイヤ３５と入り混じる状態となるようにしている。
【００２５】
しかして、図３及び図４に示すように、食器かご１４は、ベース部３３の左右両外側部にスライド用部材４２を有しており、このスライド用部材４２が洗浄槽１９内の両側面下部に形成したレール４３上をスライドする引出し方式にて、前記食器出入口１０を通じ出し入れされるようにしている。
【００２６】
次に、上記構成のものの食器かご１４に対する食器並びに他の被洗浄物の配列について詳述する。
食器かご１４には、既述のように、２種の食器支えとしてのワイヤ３４（３４´），３５があり、そのうちのワイヤ３４（３４´）には、図３及び図４に示すように、その左右の並びの各間に茶碗１６を差し込んで、該茶碗１６を立てた状態に保持する。一方、ワイヤ３５には、これを図１の（ａ）、（ｂ）に示すように起立させた状態にて、更に図３及び図４に示すように、その左右の並びの各間に皿１５を差し込んで、該皿１５を立てた状態に保持する。
【００２７】
このようにして、食器かご１４には茶碗１６と皿１５とを配列し、この状態でそれら食器の洗浄とすすぎ及び乾燥を行う。
そして、食器以外の、図２の（ａ）、（ｂ）に示す鍋やボールといった大形の被洗浄物（図示例は鍋）４４をセットするについては、ワイヤ３５を同図に示すように伏臥させる。すると、ワイヤ３５の上にはそれまでより広いスペースができるから、その上に大形の被洗浄物４４を置く。
このようにして、食器かご１４上に大形の被洗浄物４４をセットし、この状態でその被洗浄物４４の洗浄とすすぎ及び乾燥を行う。
【００２８】
このように本構成のものでは、食器かご１４のワイヤ３５を起伏可能に設けていて、該ワイヤ３５を伏臥させることにより、その上に鍋やボールといった大形の被洗浄物４４をセットして洗浄することができる。
しかも、その場合、ワイヤ３５は必要な複数本を連結ワイヤ３６で一つに連結しており、従って、その１列の全部を同時に起伏させることができ、１本１本のワイヤ３５を起伏させる手間を要しないで済ませ得るので、取扱い性を良くすることができる。
【００２９】
更に、ワイヤ３５は２列を向かい合わせに設け、この向かい合わせの両ワイヤ３５を伏臥時には互いに入り混じる状態となるようにしている。これにより、ワイヤ３５を伏臥させたとき、それぞれ相手ワイヤ３５と衝突することなくスムーズに伏臥させ得るので、取扱い性を一層良くできる。加えて、この場合、ワイヤ３５をよりコンパクトに伏臥させることもできるので、その上に上記大形の被洗浄物４４をセットするスペースをより広く確保でき、且つその被洗浄物４４を置いたときの安定性を良くすることができる。
【００３０】
そして更に、この場合、上述のワイヤ３５が伏臥状態で互いに入り混じる構成を、ワイヤ３５の回動（起伏）中心軸（食器かご１４の底部構成ワイヤ３７）を傾斜状にするだけのことで達成しており、もって、より簡単な構成で実現できる特長をも有している。
【００３１】
以上に対して、図５及び図６は本発明の第２実施例を示すもので、上記第１実施例と同一の部分には同一の符号を付して説明を省略し、異なる部分についてのみ述べる。
このものの場合、起伏可能なワイヤ３５は前側（図５及び図６の各（ａ）においては左側、各（ｂ）においては下側）の１列だけとし、相手列の複数のワイヤ５１を食器かご１４の底部構成ワイヤ５２にそれぞれ溶接等にて固定して設けている。
【００３２】
又、この場合、ワイヤ３５の回動（起伏）中心軸である底部構成ワイヤ３７は、底部構成ワイヤ５２と共に、前縁ワイヤ３９や後縁ワイヤ４０と平行、すなわち、非傾斜状に設けており、そして、底部構成ワイヤ５２におけるワイヤ５１の取付位置に対し、底部構成ワイヤ３７におけるワイヤ３５の取付位置を少しずつずらしている。
この構成では、皿１５は、図５の（ｂ）に示すように、ワイヤ３５とワイヤ５１のそれぞれ左右の並びの各間に斜めに差し込んで保持する。
【００３３】
そして、この構成でも、ワイヤ３５は１列とはいえど起伏が可能で、該ワイヤ３５を伏臥させたときには、図６の（ａ）、（ｂ）に示すように、その上に鍋やボールといった大形の被洗浄物４４をセットして洗浄することができる。又、ワイヤ３５を伏臥させたときには、それが向かい合った他のワイヤであるワイヤ５１と入り混じる状態となることから、よりスムーズに、且つ、よりコンパクトに伏臥させることができる。従って、このようにしても、前述同様の作用効果を得ることができる。
【００３４】
なお、この場合、ワイヤ３５を伏臥させた状態でも、ワイヤ５１の外側（図６の（ａ）中右側）には、コップ等の食器５３を配列することができる。
又、この第２実施例を合わせ考えた場合、前記第１実施例における２列のワイヤ３５のうちの１列は一方のワイヤであり、もう１列のワイヤ３５は他のワイヤとして機能している。
【００３５】
図７ないし図９は本発明の第３実施例を示すもので、上記した第１実施例と同一の部分には同一の符号を付して説明を省略し、異なる部分についてのみ述べる。図７（ａ）、（ｂ）は、向かい合った２列のワイヤ３５が起立した状態を示し、図８（ａ）、（ｂ）は、２列のワイヤ３５が伏臥した状態を示している。
【００３６】
食器かご１４におけるベース部３３において、２本の底部構成ワイヤ３７，３７の前後両側に位置させて設けられた２本の底部構成ワイヤ５５，５５に、図９に示すような線材からなるばね部材５６を取り付けている。このばね部材５６は、両端部にカール部５６ａを有していて、図７（ｂ）に示すように、各列の右から２番目のワイヤ３５と３番目のワイヤ３５との間に配置され、両端部のカール部５６ａを、２本の底部構成ワイヤ５５に外れないように取り付けている。そして、このばね部材５６は、図７（ａ）に示すように、ワイヤ３５を連結している２列の両連結ワイヤ３６を上から押さえ込むように配置されている。なお、各カール部５６ａは、底部連結ワイヤ５５に対して動き得るように取り付けている。
【００３７】
この構成において、２列のワイヤ３５を起立させた図７の状態では、上記ばね部材５６により各連結ワイヤ３６が上から押さえ込まれているから、２列の各ワイヤ３５は起立状態に保持されている。このため、皿１５をセットする際に、皿１５や手がそれら起立したワイヤ３５に触れたぐらいでは、そのワイヤ３５が簡単に倒れることはない。よって、ワイヤ３５が起伏可能な構成でありながら、皿１５のセットがしやすい利点がある。またこの場合、ばね部材５６は、２列の両連結ワイヤ３６を跨ぐように配置しているので、２列のワイヤ３５を１本のばね部材５６により起立状態に保持することができ、列ごとにばね部材を設ける場合に比べて構成を簡素にできる。
【００３８】
そして、図８（ａ）に示すように、２列のワイヤ３５を伏臥させた状態で、大形の被洗浄物４４をセットする際にも、上記ばね部材５６は邪魔になることはない。
なお、ばね部材５６は、線材に限られず、板ばねで構成してもよい。
【００３９】
図１０ないし図１４は本発明の第４実施例を示すもので、第１及び第３実施例と同一の部分には同一の符号を付して説明を省略し、異なる部分についてのみ述べる。
皿を配列する部分は、図１０及び図１１に示すように、片側５本ずつのワイヤ３５を向かい合わせに設けている。片側５本のワイヤ３５のうち、左右両端部のワイヤ３５，３５と中央のワイヤ３５は、連結ワイヤ６０により内側で連結し、残りの２本のワイヤ３５，３５は、連結ワイヤ６１により外側で連結している。従って、５本のワイヤ３５のうち、３本のワイヤ３５は連結ワイヤ６０により１本おきに連結され、残りの２本のワイヤ３５は連結ワイヤ６１により連結されている。ここで、連結ワイヤ６０で連結された３本のワイヤ３５を第１のワイヤ群６２と称し、連結ワイヤ６１で連結された２本のワイヤ３５を第２のワイヤ群６３と称する。
【００４０】
第１のワイヤ群６２において、左右両端部のワイヤ３５は、それぞれ下端部のカール部３５ａを底部構成ワイヤ３７に回動可能に取り付けている。中央の１本のワイヤ３５は、両端部のものよりも短く設定されていて、下端部を連結ワイヤ６０に連結している。従って、連結ワイヤ６０で連結された３本のワイヤ３５（第１のワイヤ群６２）は、底部構成ワイヤ３７に回動により起伏可能に設けている。また、第２のワイヤ群６３において、２本の両ワイヤ３５は、それぞれカール部３５ａを底部構成ワイヤ３７に回動可能に取り付けていて、回動により起伏可能に設けている。なお、ベース部３３の２本のストッパ３８間の間隔は、第２のワイヤ群６３の連結ワイヤ６１の長さに対応して、第１ないし第３実施例に比べて狭くしている。
【００４１】
そして、向かい合った第２のワイヤ群６３は、起立時に連結ワイヤ６１がストッパ３８に当接することにより逆ハ字状に支持される。また、向かい合った第１のワイヤ群６２は、起立時に中央のワイヤ３５が第２のワイヤ群６３の連結ワイヤ６１に当接すると共に、連結ワイヤ６０が第２のワイヤ群６３の各ワイヤ３５に当接することにより逆ハ字状に支持される。この場合、第１及び第２のワイヤ群６２，６３の起立状態で、第２のワイヤ群６３の連結ワイヤ６１の位置が第１のワイヤ群６２の連結ワイヤ６０より高くなっていて、ばね部材５６は、連結ワイヤ６１を上から押さえ込むことにより第２のワイヤ群６３を起立状態に保持するようにしているが、第１のワイヤ群６２の連結ワイヤ６０からは離間している。
【００４２】
ここで、第１のワイヤ群６２及び第２のワイヤ群６３を共に起立させた状態では、図１０（ｂ）に示すように、隣り合ったワイヤ３５間の間隔Ａ１は、第１ないし第３実施例と同様に比較的狭くなっていて、比較的浅い皿１５を配列するのに適した寸法となっている。また、図１２の（ａ）、（ｂ）に示すように、第２のワイヤ群６３を起立させた状態で、第１のワイヤ群６２を伏臥させた状態では、起立状態の隣り合ったワイヤ３５間の間隔Ａ２は、上記間隔Ａ１の約２倍となっていて、図１３にも示すように、厚さｔの比較的深い皿６４を配列するのに適した寸法となる。そして、第１及び第２のワイヤ群６２，６３を共に伏臥させた状態では、第１実施例及び第３実施例と同様に、向かい合ったワイヤ３５が互いに入り混じる状態となる。従って、第１及び第２のワイヤ群６２，６３は、各ワイヤ３５が起伏可能に連結されていると共に、起立と伏臥との各別の状態に選択可能に設けられている。
【００４３】
上記構成において、図１０に示すように、前後２列の第１及び第２のワイヤ群６２，６３を共に起立にさせた状態では、隣り合ったワイヤ３５間に比較的浅い皿１５をセットすることができる。
図１２及び図１３に示すように、前後２列の各第２のワイヤ群６３を起立させた状態で、各第１のワイヤ群６２を伏臥させた状態とすると、起立状態のワイヤ３５間の間隔Ａ２が広くなり、そこに深い皿６４をセットすることができる。
【００４４】
図１４に示すように、前後２列の第１及び第２のワイヤ群６２，６３を共に伏臥させた状態では、その上に広いスペースを確保することができるため、そこに鍋等大形の被洗浄物４４をセットすることができる。
従って、第１及び第２のワイヤ群６２，６３を共に起立させる場合と、共に伏臥させる場合と、第１のワイヤ群６３のみを伏臥させる場合とを選択することにより、セットできる被洗浄物の種類を多くすることが可能となる。
【００４５】
また、上記した構成においては、第１及び第２のワイヤ群６２，６３のうち第１のワイヤ群６２の３本のワイヤ３５を、連結ワイヤ６０により内側で連結しているので、第１及び第２のワイヤ群６２，６３が共に伏臥した状態で、第１のワイヤ群６２の１本のワイヤ３５を持って起立方向へ回動させることで、第１のワイヤ群６２と第２のワイヤ群６３を一度に起立させることができる。しかも、内側で連結した第１のワイヤ群６３の２本のワイヤ３５を両端部に配置しているので、それらを起立させる際に持ち易く、操作しやすい。
【００４６】
なお、上記構成において、前後２列のワイヤ３５は、それぞれ５本ずつとしたが、それらは奇数本に限らず、偶数本でもよい。また、第１及び第２のワイヤ群６２，６３のワイヤ３５の連結の仕方は、必ずしも１本おきでなくてもよい。
【００４７】
図１５は本発明の第５実施例を示したものであり、上記した第４実施例とは次の点が異なっている。
すなわち、第１及び第２のワイヤ群６２，６３を共に起立させた状態において、第１のワイヤ群６２の連結ワイヤ６０と第２のワイヤ群６３の連結ワイヤ６１との高さをほぼ同じとなるようにする。このようにした場合には、第１及び第２のワイヤ群６２，６３を共に起立させた状態において、ばね部材５６によりそれら連結ワイヤ６０，６１を共に上から押さえ込むようになるので、第１及び第２のワイヤ群６２，６３を共に起立状態に保持することができる。
【００４８】
このほか、本発明は上記し且つ図面に示した実施例にのみ限定されるものではなく、特に、食器の洗浄方式は噴水方式に限られず、食器を水中に浸漬して生成する水流により洗浄するようなものであっても良いし、更に、洗浄槽９は食器出入口１０を前面以外、例えば上面に有するものであっても良いなど、要旨を逸脱しない範囲内で適宜変更して実施し得る。
【００４９】
【発明の効果】
以上説明したように、本発明の食器洗浄機によれば、主として、食器かごの皿を配列する部分を、複数のワイヤで構成し、このワイヤを連結すると共に、起伏可能に設けたことによって、食器かごに食器以外の鍋やボールといった大形の被洗浄物をセットして洗浄することができ、しかも、その取扱い性を良くすることができるという著効を奏する。
【図面の簡単な説明】
【図１】本発明の第１実施例を示す主要部分の縦断側面図（ａ）と平面図（ｂ）
【図２】主要部分の異なる状態における図１（ａ）、（ｂ）相当図
【図３】全体の縦断側面図
【図４】全体の扉を取り除いた状態の正面図
【図５】本発明の第２実施例を示す図１（ａ）、（ｂ）相当図
【図６】図２（ａ）、（ｂ）相当図
【図７】本発明の第３実施例を示す図１（ａ）、（ｂ）相当図
【図８】図２（ａ）、（ｂ）相当図
【図９】ばね部材の正面図
【図１０】本発明の第４実施例を示す図１（ａ）、（ｂ）相当図
【図１１】主要部分の斜視図
【図１２】図１０とは異なる状態における主要部分の図１（ａ）、（ｂ）相当図
【図１３】図４相当図
【図１４】図２（ａ）、（ｂ）相当図
【図１５】本発明の第５実施例を示す図１０（ａ）相当図
【符号の説明】
９は洗浄槽、１４は食器かご、１５は皿、２６は洗浄機構、３５はワイヤ、３６は連結ワイヤ、３７は底部構成ワイヤ、４４は大形の被洗浄物、５１はワイヤ、５６はばね部材、６０は連結ワイヤ、６１は連結ワイヤ、６２は第１のワイヤ群、６３は第２のワイヤ群、６４は深い皿を示す。
【図１】
2004041686.tif 000003
【図２】
2004041686.tif 000004
【図３】
2004041686.tif 000005
【図４】
2004041686.tif 000006
【図５】
2004041686.tif 000007
【図６】
2004041686.tif 000008
【図７】
2004041686.tif 000009
【図８】
2004041686.tif 000010
【図９】
2004041686.tif 000011
【図１０】
2004041686.tif 000012
【図１１】
2004041686.tif 000013
【図１２】
2004041686.tif 000014
【図１３】
2004041686.tif 000015
【図１４】
2004041686.tif 000016
【図１５】
2004041686.tif 000017